(57)【要約】【課題】投入状態と開放状態との切換動作を確実に行うことができ、小型な開閉器とすることができる開閉器の開閉蓄力機構を提供する。【解決手段】開閉器の開閉蓄力機構は、投入時に投入作動レバー２０に投入動作をさせる投入ばね２７ａと、開放時に開放作動レバー２１に開放動作をさせる開放ばね３０ａと、投入ばね２７ａ及び開放ばね３０ａのそれぞれの蓄力状態を保持する投入リンク部材１４及び開放リンク部材１６と、投入時には開放ばね３０ａを蓄力させ、投入リンク部材１４により投入ばね２７ａを開放させた後、開放ばね３０ａの蓄力状態を開放リンク部材１６により保持させ、また開放時には投入ばね２７ａを蓄力させ、開放リンク部材１６により開放ばね３０ａを開放させた後、投入ばね２７ａの蓄力状態を投入リンク部材１４により保持させるべく投入駆動板１１及び開放駆動板１２に遅延回動動作を行わせる摺動軸１０及び摺動孔１１ａ，１２ａとを備えた。【選択図】図１
2011014381.tif 000002
【特許請求の範囲】
【請求項１】
操作ハンドルの回動軸上に相対回動可能に支持された一対の駆動板と、
前記回動軸の回動を一対の駆動板に伝達する伝達手段と、
本体ケース内に設けた駆動軸に相対回動可能に支持されるとともに、前記駆動板に連結された一対の作動レバーと、前記一対の作動レバーのうちいずれかの作動レバーの投入動作及び開放動作に基づいて開閉部を開閉駆動する駆動レバーと、
前記一方の作動レバーに連結され、投入時に蓄力を開放して同作動レバーに投入動作をさせる投入ばねと、
前記他方の作動レバーに連結され、開放時に蓄力を開放して同作動レバーに開放動作をさせる開放ばねと、
前記駆動板と作動レバーとの間に設けられ、投入ばね及び開放ばねのそれぞれの蓄力状態を保持する一対の蓄力保持手段と、
前記一対の駆動板間に設けられ、投入時には開放ばねを蓄力させ、一方の蓄力保持手段により投入ばねを開放させた後、同開放ばねの蓄力状態を他方の蓄力保持手段により保持させ、また、開放時には投入ばねを蓄力させ、他方の蓄力保持手段により開放ばねを開放させた後、同投入ばねの蓄力状態を一方の蓄力保持手段により保持させるべく、前記一対の駆動板に遅延回動動作を行わせる遅延回動手段とを備えた
ことを特徴とする開閉器の開閉蓄力機構。
【請求項２】
請求項１に記載の開閉器の開閉蓄力機構において、
前記投入ばねと前記開放ばねとを左右に配置し、これらの中央に前記回動軸と、前記一対の作動レバーの駆動軸とを並べて配置した
ことを特徴とする開閉器の開閉蓄力機構。
【請求項３】
請求項１又は２に記載の開閉器の開閉蓄力機構において、
前記駆動レバーを前記投入ばねよりも前記開放ばねの近傍に配置した
ことを特徴とする開閉器の開閉蓄力機構。
【請求項４】
請求項１〜３のいずれか一項に記載の開閉器の開閉蓄力機構において、
前記遅延回動手段は、前記回動軸に固定したレバーと、同レバーに設けた摺動軸と、同摺動軸が摺動可能に係合するように前記一対の駆動板に設けた摺動孔とから構成した
ことを特徴とする開閉器の開閉蓄力機構。
【請求項５】
請求項１〜４のいずれか一項に記載の開閉器の開閉蓄力機構において、
前記一対の作動レバー間に設けられ、投入時には前記投入ばねの蓄力が開放された際に前記駆動レバーを閉駆動させ、また、開放時には前記開放ばねの蓄力が開放された際に前記駆動レバーを開駆動させる第２伝達手段を備えた
ことを特徴とする開閉器の開閉蓄力機構。
【請求項６】
請求項５に記載の開閉器の開閉蓄力機構において、
前記第２伝達手段は、前記一対の作動レバーの回動軸に回動可能に設けた被動レバーと、同被動レバーに設けた摺動軸と、同摺動軸が摺動可能に係合するように前記一対の作動レバーに設けた摺動孔とから構成した
ことを特徴とする開閉器の開閉蓄力機構。
【発明の詳細な説明】
【技術分野】
【０００１】
この発明は、開閉器の開閉蓄力機構に関する。
【背景技術】
【０００２】
従来、開閉器においては、操作ハンドルを手動で回動操作すると、操作ハンドルの回動操作によってばねを蓄力し、この蓄力を開放させることによって固定電極に対する可動電極の投入及び開放を補助する開閉蓄力機構を備えたものがある（例えば、特許文献１参照）。
【０００３】
開閉器の開閉蓄力機構は、操作ハンドルの可動電極の投入操作時に蓄力を開放させる投入ばねと、操作ハンドルの可動電極の開放操作時に蓄力を開放させる開放ばねと、開閉器が投入状態又は開放状態であるときに投入ばね又は開放ばねの蓄力を保持する蓄力保持機構とを備えている。
【０００４】
この蓄力機構においては、各ばねの蓄力状態を保持するために二つの蓄力保持機構が用いられており、投入ばねの蓄力状態の保持には一方の蓄力保持機構が作用し、また開放ばねの蓄力状態の保持には他方の蓄力保持機構が作用するようになっている。
【先行技術文献】
【特許文献】
【０００５】
【特許文献１】実用新案第２５９２８５０号公報
【発明の概要】
【発明が解決しようとする課題】
【０００６】
投入ばね、開放ばね、及び蓄力保持機構を備えた蓄力機構においては、開閉器が投入状態又は開放状態にあるときには蓄力保持機構によって投入ばね又は開放ばねの蓄力状態が保持される。ところが、前記蓄力機構では開放状態から投入状態へ移行する途中、又は投入状態から開放状態へ移行する途中に、一方の蓄力保持機構による蓄力保持から、他方の蓄力保持機構による蓄力保持に切り換わるようになっているため、この切り換えが正確になされず、開放ばね又は投入ばねの蓄力保持が確実に行われないことがあった。
【０００７】
また、操作ハンドルの回動操作は、ばねの蓄力に抗して行うため、操作ハンドルの投入開放操作は大変な手動力を要していた。操作ハンドルを投入状態から開放状態へ回動操作する際に、リンクとばねとが略一直線上に並ぶデッドポイントを超えて最後まで回動操作しなければならないところ、デッドポイントで開閉器が開放されたと思い込み、デッドポイントで操作ハンドルを止めてしまうと開閉器は開放状態とはならない。このように操作ハンドルの回動操作を中途半端に行うと、可動電極が半開放状態となり、固定電極と可動電極との接点間でアークが継続して接点が溶損するおそれがあった。同様に、操作ハンドルの回動操作が中途半端で可動電極が半投入状態となると、固定電極と可動電極との接触部が溶損するおそれがあった。
【０００８】
そこで、開閉器を確実に投入状態及び開放状態とするために、投入ばねと開放ばねとの弾性力を増加させることが考えられるが、ばねの弾性力を増加させると、これらのばねを支える支持部材を大型化させる必要があり、開閉器全体の大型化を招くとともに、操作ハンドルの手動力を更に要することとなる。
【０００９】
この発明は、こうした実情に鑑みてなされたものであり、その目的は、投入状態と開放状態との切換動作を確実に行うことができ、小型な開閉器とすることができる開閉器の開閉蓄力機構を提供することにある。
【課題を解決するための手段】
【００１０】
以下、上記目的を達成するための手段及びその作用効果について説明する。
請求項１に記載の発明は、操作ハンドルの回動軸上に相対回動可能に支持された一対の駆動板と、前記回動軸の回動を一対の駆動板に伝達する伝達手段と、本体ケース内に設けた駆動軸に相対回動可能に支持されるとともに、前記駆動板に連結された一対の作動レバーと、前記一対の作動レバーのうちいずれかの作動レバーの投入動作及び開放動作に基づいて開閉部を開閉駆動する駆動レバーと、前記一方の作動レバーに連結され、投入時に蓄力を開放して同作動レバーに投入動作をさせる投入ばねと、前記他方の作動レバーに連結され、開放時に蓄力を開放して同作動レバーに開放動作をさせる開放ばねと、前記駆動板と作動レバーとの間に設けられ、投入ばね及び開放ばねのそれぞれの蓄力状態を保持する一対の蓄力保持手段と、前記一対の駆動板間に設けられ、投入時には開放ばねを蓄力させ、一方の蓄力保持手段により投入ばねを開放させた後、同開放ばねの蓄力状態を他方の蓄力保持手段により保持させ、また、開放時には投入ばねを蓄力させ、他方の蓄力保持手段により開放ばねを開放させた後、同投入ばねの蓄力状態を一方の蓄力保持手段により保持させるべく、前記一対の駆動板に遅延回動動作を行わせる遅延回動手段とを備えた開閉器の開閉蓄力機構であることをその要旨としている。
【００１１】
同構成によれば、投入時には、回動軸を回動させると、その回動軸の回動は伝達手段及び一対の駆動板を介して一対の作動レバーに伝達される。すると、一対の駆動板間に設けられた遅延回動手段の作用により、まず一方の作動レバーが回動されて開放ばねが蓄力され、他方の蓄力保持手段が解除されて投入ばねの蓄力が開放された後に、一方の蓄力保持手段によって開放ばねの蓄力状態が保持される。そして、投入ばねが開放されたことにより他方の作動レバーが回動して駆動レバーを介して開閉部に伝達されて開閉部が投入状態となる。
【００１２】
また、開放時には、回動軸を回動させると、その回動軸の回動は伝達手段及び一対の駆動板を介して一対の作動レバーに伝達される。すると、一対の駆動板間に設けられた遅延回動手段の作用により、まず他方の作動レバーが回動されて投入ばねが蓄力され、一方の蓄力保持手段が解除されて開放ばねの蓄力が開放された後に、他方の蓄力保持手段によって投入ばねの蓄力状態が保持される。そして、開放ばねが開放されたことにより一方の作動レバーが回動して駆動レバーを介して開閉部に伝達されて開閉部が開放状態となる。
【００１３】
よって、ばねを蓄力させつつ、もう一方のばねによってその蓄力を保持する保持状態にするため、切換動作を確実に行うことができる。よって、ばねの弾性力を増加させる必要がない。また、上記の切換動作を可能とする、蓄力保持手段は駆動板と作動レバーとの間に設けられ、遅延回動手段は一対の駆動板間に設けられるため、小型な開閉蓄力機構とすることができ、ひいては小型な開閉器とすることができる。
【００１４】
請求項２に記載の発明は、請求項１に記載の開閉器の開閉蓄力機構において、前記投入ばねと前記開放ばねとを左右に配置し、これらの中央に前記回動軸と、前記一対の作動レバーの駆動軸とを並べて配置したことをその要旨としている。
【００１５】
同構成によれば、投入ばねと開放ばねとに回動軸と一対の作動レバーの駆動軸とが挟まれるように並べて配置されるため、軸方向において厚みを抑制することができ、開閉蓄力機構を小型化でき、ひいては開閉器を小型化することができる。
【００１６】
請求項３に記載の発明は、請求項１又は２に記載の開閉器の開閉蓄力機構において、前記駆動レバーを前記投入ばねよりも前記開放ばねの近傍に配置したことをその要旨としている。
【００１７】
同構成によれば、駆動レバーを開放ばねの近傍に配置することにより、開閉部の固定電極と可動電極との接触部が溶着していたりしてより回動軸を回動させる力が必要となる開放時に開放ばねの蓄力を効率よく働かせることができる。
【００１８】
請求項４に記載の発明は、請求項１〜３のいずれか一項に記載の開閉器の開閉蓄力機構において、前記遅延回動手段は、前記回動軸に固定したレバーと、同レバーに設けた摺動軸と、同摺動軸が摺動可能に係合するように前記一対の駆動板に設けた摺動孔とから構成したことをその要旨としている。
【００１９】
同構成によれば、投入時には、回動軸が回動することにより、その回動がレバーを介して摺動軸に伝達され、これが摺動孔内を移動する。そして、この摺動軸が一方の駆動板の摺動孔の端部内壁に当接して駆動板を回動させる。このとき、摺動軸は他方の駆動板の摺動孔内を移動するだけなので、この駆動板は回動しない。一方の駆動板が所定角度回動すると、摺動軸は他方の駆動板の摺動孔の端部内壁に当接し、この他方の駆動板が回動される。
【００２０】
また、開放時には、回動軸が回動することにより、その回動がレバーを介して摺動軸に伝達され、これが摺動孔内を移動する。そして、この摺動軸が他方の駆動板の摺動孔の端部内壁に当接して駆動板を回動させる。このとき、摺動軸は一方の駆動板の摺動孔内を移動するだけなので、この駆動板は回動しない。他方の駆動板が所定角度回動すると、摺動軸は一方の駆動板の摺動孔の端部内壁に当接し、この一方の駆動板が回動される。
【００２１】
請求項５に記載の発明は、請求項１〜４のいずれか一項に記載の開閉器の開閉蓄力機構において、前記一対の作動レバー間に設けられ、投入時には前記投入ばねの蓄力が開放された際に前記駆動レバーを閉駆動させ、また、開放時には前記開放ばねの蓄力が開放された際に前記駆動レバーを開駆動させる第２伝達手段を備えたことをその要旨としている。
【００２２】
同構成によれば、投入時には、投入ばねの蓄力が開放されることにより作動レバーが回動される。すると、一対の作動レバー間に設けられた第２伝達手段の作用により、投入ばねの開放により回動された作動レバーによって駆動レバーが閉駆動され、開閉部が投入状態となる。
【００２３】
また、開放時には、開放ばねの蓄力が開放されることにより作動レバーが回動される。すると、一対の作動レバー間に設けられた第２伝達手段の作用により、開放ばねの開放により回動された作動レバーによって駆動レバーが開駆動され、開閉部が開放状態となる。
【００２４】
請求項６に記載の発明は、請求項５に記載の開閉器の開閉蓄力機構において、前記第２伝達手段は、前記一対の作動レバーの回動軸に回動可能に設けた被動レバーと、同被動レバーに設けた摺動軸と、同摺動軸が摺動可能に係合するように前記一対の作動レバーに設けた摺動孔とから構成したことをその要旨としている。
【００２５】
同構成によれば、投入時には、作動レバーが回動することにより、作動レバーの摺動孔内を被動レバーの摺動軸が移動する。そして、一方の作動レバーの摺動孔の端部内壁がこの被動レバーの摺動軸に当接して被動レバーを回動させる。このとき、被動レバーの摺動軸は他方の作動レバーの摺動孔内を移動するだけなので、この作動レバーは回動されない。
【００２６】
また、開放時には、作動レバーが回動することにより、作動レバーの摺動孔内を被動レバーの摺動軸が移動する。そして、他方の作動レバーの摺動孔の端部内壁がこの被動レバーの摺動軸に当接して被動レバーを回動させる。このとき、被動レバーの摺動軸は一方の作動レバーの摺動孔内を移動するだけなので、この作動レバーは回動されない。
【発明の効果】
【００２７】
本発明によれば、開閉器の開閉蓄力機構において、投入状態と開放状態との切換動作を確実に行うことができ、小型な開閉器とすることができる。
【図面の簡単な説明】
【００２８】
【図１】開閉器の開閉蓄力機構の構成を示す正面図。
【図２】開閉器の開閉蓄力機構の構成を示す側面図。
【図３】開閉器の開閉蓄力機構の分解斜視図。
【図４】開閉器の開閉蓄力機構の分解斜視図。
【図５】開閉器の開閉蓄力機構の投入ばね側の動作を示す図。
【図６】開閉器の開閉蓄力機構の開放ばね側の動作を示す図。
【図７】開閉器の開閉蓄力機構の投入ばね側の動作を示す図。
【図８】開閉器の開閉蓄力機構の開放ばね側の動作を示す図。
【図９】開閉器の開閉蓄力機構の投入ばね側の動作を示す図。
【図１０】開閉器の開閉蓄力機構の開放ばね側の動作を示す図。
【図１１】開閉器の開閉蓄力機構の投入ばね側の動作を示す図。
【図１２】開閉器の開閉蓄力機構の開放ばね側の動作を示す図。
【図１３】開閉器の開閉蓄力機構の投入ばね側の動作を示す図。
【図１４】開閉器の開閉蓄力機構の開放ばね側の動作を示す図。
【発明を実施するための形態】
【００２９】
以下、本発明にかかる開閉器の開閉蓄力機構を具体化した一実施形態について図１〜図１４を参照して説明する。
図１及び図２に示されるように、本実施例の開閉器の本体ケース１は金属性の箱形であり、その内部には各相に固定電極及び可動電極を有する図示しない開閉部が設けられている。各開閉部は、手動開閉機構２により固定電極に対して可動電極が接離されるようになっている。
【００３０】
手動開閉機構２は、後述する各部材を覆う前側保持板５と後側保持板６とに挟まれて構成されており、本体ケース１の前面壁１ａの内側に突設された複数のボルト３ａとナット４ａにより本体ケース１に固定されている。前側保持板５と後側保持板６とは、複数のボルト３ｂとナット４ｂ、間隔保持用ナット４ｃにより互いに締結固定されている。
【００３１】
前面壁１ａの中央部、並びに前側保持板５及び後側保持板６には回動軸として機能するハンドル軸７が回動可能に支承されている。このハンドル軸７には、開閉部の投入及び開放を操作する操作ハンドル８が取り付けられている。また、ハンドル軸７には、一体回動するハンドルレバー９が取付固定されている。ハンドルレバー９には、突部９aが形成されるとともにハンドル軸７の軸方向において前後両方向へ突出する摺動軸１０がハンドル軸７とは異なる位置に形成されている。摺動軸１０の前側先端部は前側保持板５に形成された摺動孔５ａに、摺動軸１０の後側先端部は後側保持板６に形成された摺動孔６ａに摺動可能に係合されている。摺動孔５ａ，６ａは、ハンドル軸７を中心軸とする円弧状の孔である。これにより、ハンドルレバー９はハンドル軸７の回動にともない円滑に回動するとともに、両端内壁に摺動軸１０が当接することでハンドルレバー９の動作は規制される。
【００３２】
図３及び図４に併せて示されるように、ハンドル軸７には、前側の前側保持板５とハンドルレバー９との間に投入駆動板１１が、後側の後側保持板６とハンドルレバー９との間に開放駆動板１２が回動可能に支承されている。これら投入駆動板１１と開放駆動板１２とには、ハンドル軸７を中心軸とする円弧状の摺動孔１１ａ，１２ａがそれぞれ形成され、ハンドルレバー９の摺動軸１０がそれぞれ摺動可能に係合されている。投入駆動板１１は、摺動軸１０が投入駆動板１１の摺動孔１１ａの左側内壁に当接することによりハンドル軸７を中心軸として時計回りへ回動される。開放駆動板１２は、摺動軸１０が開放駆動板１２の摺動孔１２ａの右側内壁に当接することによりハンドル軸７を中心軸として反時計回りへ回動される。ここで、ハンドルレバー９と摺動軸１０と摺動孔１１ａ，１２ａとが伝達手段として機能するとともに、遅延回動手段として機能する。
【００３３】
投入駆動板１１のハンドル軸７を挟んで摺動孔１１ａの反対側には駆動板連結軸１３が形成されている。この駆動板連結軸１３には、投入リンク部材１４の下端部が回動可能に連結されている。投入リンク部材１４が一対の一方の蓄力保持手段として機能する。
【００３４】
開放駆動板１２のハンドル軸７を挟んで摺動孔１２ａの反対側には駆動板連結軸１５が形成されている。この駆動板連結軸１５には、開放リンク部材１６の下端部が回動可能に連結されている。開放リンク部材１６が一対の他方の蓄力保持手段として機能する。
【００３５】
手動開閉機構２のハンドル軸７の上方には、レバー回動軸１７が設けられており、前側保持板５と後側保持板６とに回動可能に支承されている。レバー回動軸１７には、レバー回動軸１７を中心軸として回動する被動レバー１８が係合されている。被動レバー１８には、レバー回動軸１７の軸方向において前後両方向へ突出する摺動軸１９がレバー回動軸１７とは異なる位置に挿通されている。摺動軸１９の前側先端部は前側保持板５に形成された摺動孔５ｂに、摺動軸１９の後側先端部は後側保持板６に形成された摺動孔６ｂに摺動可能に係合されている。摺動孔５ｂ，６ｂは、レバー回動軸１７を中心軸とする円弧状の孔である。これにより、被動レバー１８の摺動軸１９は回動にともない円滑に回動するとともに、両端内壁に摺動軸１９が当接することで後述する駆動レバー２２の動作が規制される。
【００３６】
レバー回動軸１７には、前側の前側保持板５と被動レバー１８との間に投入作動レバー２０が、後側の後側保持板６と被動レバー１８との間に開放作動レバー２１が回動可能に支承されている。これら投入作動レバー２０と開放作動レバー２１とには、レバー回動軸１７を中心軸とする円弧状の摺動孔２０ａ，２１ａがそれぞれ形成され、被動レバー１８の摺動軸１９がそれぞれ摺動可能に係合されている。
【００３７】
摺動軸１９は、投入作動レバー２０の摺動孔２０ａの上側内壁に当接することによりレバー回動軸１７を中心軸として下方へ回動し、開放作動レバー２１の摺動孔２１ａの下側内壁に当接することによりレバー回動軸１７を中心軸として上方へ回動する。ここで、被動レバー１８と摺動軸１９と摺動孔２０ａ，２１ａとが第２伝達手段として機能する。
【００３８】
被動レバー１８の摺動軸１９の後側先端部には、駆動レバー２２の下端部が回動可能に連結されている。駆動レバー２２の上端部は、開閉部の可動電極を駆動させる主軸２３に連結部材２４を介して回動可能に連結されている。主軸２３は、駆動レバー２２の上下動によって連結部材２４を介して回動され、固定電極に対して可動電極を接離させ、開閉部を投入状態又は開放状態とする。
【００３９】
投入作動レバー２０のレバー回動軸１７と摺動孔２０ａとの間にはレバー連結軸２５が形成され、このレバー連結軸２５に投入リンク部材１４の上端部が回動可能に連結されている。投入作動レバー２０は、投入駆動板１１のハンドル軸７を中心軸とする回動にともない投入リンク部材１４を介してレバー回動軸１７を中心軸として回動する。例えば、投入駆動板１１が時計回りへ回動すると、投入作動レバー２０が時計回りへ回動する。
【００４０】
図１に併せて示されるように、投入作動レバー２０のレバー回動軸１７を挟んで摺動孔２０ａの反対側には投入ばね連結軸２６が形成され、この投入ばね連結軸２６に投入ばね２７ａを支持する投入ばね支持部材２７が回動可能に連結されている。投入ばね２７ａは、投入作動レバー２０が反時計回りへ回動すると蓄力される。一方、投入ばね２７ａの蓄力が開放されると、投入作動レバー２０がレバー回動軸１７を中心軸として時計回りへ勢いよく回動されるようになっている。
【００４１】
開放作動レバー２１のレバー回動軸１７を挟んで摺動孔２１ａの反対側にはレバー連結軸２８が形成され、このレバー連結軸２８に開放リンク部材１６の上端部が回動可能に連結されている。開放作動レバー２１は、開放駆動板１２のハンドル軸７を中心軸とする回動にともない開放リンク部材１６を介してレバー回動軸１７を中心軸として回動する。例えば、開放駆動板１２が時計回りへ回動すると、開放作動レバー２１が時計回りへ回動する。
【００４２】
開放作動レバー２１のレバー回動軸１７を挟んでレバー連結軸２８の反対側には開放ばね連結軸２９が形成され、この開放ばね連結軸２９に開放ばね３０ａを支持する投入ばね支持部材３０が回動可能に連結されている。開放ばね３０ａは、開放作動レバー２１が時計回りへ回動すると蓄力される。一方、開放ばね３０ａの蓄力が開放されると、開放作動レバー２１が反時計回りへ勢いよく回動されるようになっている。開放作動レバー２１の摺動孔２１ａをレバー回動軸１７と開放ばね連結軸２９との間に形成し、駆動レバー２２が摺動孔２１ａに係合されているので、駆動レバー２２は、投入ばね２７ａよりも開放ばね３０ａの近傍に配置されている。具体的には、駆動レバー２２は、レバー回動軸１７と開放ばね３０ａとの間の開放ばね３０ａの近傍に配置されている。
【００４３】
すなわち、開放状態からの投入動作時には、操作ハンドル８が時計回りへ回動操作されると、ハンドル軸７の回動とともにハンドルレバー９が回動し、投入駆動板１１の摺動孔１１ａの左側内壁に摺動軸１０が当接することにより投入駆動板１１が回動する。そして、投入駆動板１１の回動によって投入リンク部材１４を介して投入作動レバー２０が回動し、投入作動レバー２０の回動にともない投入ばね２７ａの蓄力が開放される。投入ばね２７ａの蓄力が開放されると、投入作動レバー２０が勢いよく回動し、投入作動レバー２０の摺動孔２０ａの上側内壁に摺動軸１９が当接することにより駆動レバー２２を下動させ、主軸２３を時計回り回動して、開閉部を投入状態とする。
【００４４】
一方、投入状態からの開放動作時には、操作ハンドル８が反時計回りへ回動操作されると、ハンドル軸７の回動とともにハンドルレバー９が回動し、開放駆動板１２の摺動孔１２ａの右側内壁に摺動軸１０が当接することにより開放駆動板１２が回動する。そして、開放駆動板１２の回動によって開放リンク部材１６を介して開放作動レバー２１が回動し、開放作動レバー２１の回動にともない開放ばね３０ａの蓄力が開放される。開放ばね３０ａの蓄力が開放されると、開放作動レバー２１が勢いよく回動し、開放作動レバー２１の摺動孔２１ａの下側内壁に摺動軸１９が当接することにより駆動レバー２２を上動させ、主軸２３を反時計回りへ回動して、開閉部を開放状態とする。
【００４５】
上記構成を図１及び図２に示される前側から見ると、投入ばね２７ａと開放ばね３０ａとを左右両側に配置し、その中央にハンドル軸７とレバー回動軸１７とが挟まれるように並べて配置されている。
【００４６】
次に、開閉器に手動開閉機構の動作について、投入状態から開放状態へ順に図５〜図１４を参照して詳細に説明する。なお、部材の動きを容易に理解できるよう、投入ばね２７ａとともに動く部材（以下、投入ばね側と言う）と、開放ばね３０ａとともに動く部材（以下、開放ばね側と言う）とに分けて説明する。図５、図７、図９、図１１、及び図１３が投入ばね側を示し、図６、図８、図１０、図１２、及び図１４が開放ばね側を示す。
【００４７】
図５及び図６は、開閉器の投入状態を示している。
この投入状態時の投入ばね側は、投入ばね２７ａが開放され、投入作動レバー２０が時計回りへ付勢され、投入作動レバー２０がレバー回動軸１７を中心軸として時計回りへ回動しようとしている。ところが、投入作動レバー２０の摺動孔２０ａの上側内壁が摺動軸１９に当接するとともに、前側保持板５、後側保持板６の摺動孔５ｂ、摺動孔６ｂの下側内壁に当接することによって、投入作動レバー２０のレバー回動軸１７を中心軸とする下方への回動が規制されている。これにより、投入リンク部材１４を介して投入駆動板１１のハンドル軸７を中心軸とする回動が規制されている。
【００４８】
また、ハンドルレバー９の摺動軸１０は、投入駆動板１１の摺動孔１１ａの右側内壁に当接するとともに、前側保持板５、後側保持板６の摺動孔５ａ、摺動孔６ｂの左側内壁に当接することによって、投入駆動板１１のハンドル軸７を中心軸とする時計回りの回動が規制されている。このとき、投入駆動板１１の駆動板連結軸１３は、ハンドル軸７と投入作動レバー２０のレバー連結軸２５とを結ぶデッドポイントＸより右側に位置している。
【００４９】
一方、開放ばね側は、開放ばね３０ａが蓄力され、開放作動レバー２１がレバー回動軸１７を中心軸として反時計回りへ付勢され、開放作動レバー２１が反時計回りへ回動しようとしている。ところが、開放作動レバー２１の摺動孔２1ａの下側内壁が摺動軸１９に当接するとともに、開放駆動板１２の摺動孔１２ａの左側内壁にハンドルレバー９の摺動軸１０が当接しているので、開放駆動板１２のハンドル軸７を中心軸とする時計回りの回動が規制されている。これにより、開放リンク部材１６を介して開放作動レバー２１のレバー回動軸１７を中心軸とする上方への回動が規制されている。このとき、開放駆動板１２の駆動板連結軸１５は、ハンドル軸７と開放作動レバー２１のレバー連結軸２８とを結ぶデッドポイントＹより右側に位置している。
【００５０】
投入駆動板１１と投入リンク部材１４とがデッドポイントＸより右側に逆折れするとともに、開放駆動板１２と開放リンク部材１６とがデッドポイントＹより右側に逆折れすることで開放ばね３０ａが圧縮保持されている。従って、ハンドル軸７及びハンドル軸７が一体回動するハンドルレバー９、並びに操作ハンドル８が投入状態に保持されている。
【００５１】
また、この状態では、投入作動レバー２０の摺動孔２０ａの上側内壁が摺動軸１９を下方へ付勢することで駆動レバー２２を下方へ付勢し、連結部材２４を介して主軸２３が時計回りに回動し、開閉部が投入状態に保持されている。
【００５２】
図７及び図８は、投入状態から操作ハンドル８を反時計回りへ２０°回動させた状態を示している。
この状態で投入ばね側は、操作ハンドル８の反時計回りへの２０°の回動にともないハンドルレバー９が反時計回りに回動される。すると、ハンドルレバー９の摺動軸１０が投入駆動板１１の摺動孔１１ａの右側内壁に当接しているため、投入駆動板１１が反時計回りへ回動される。投入駆動板１１の反時計回りへの回動にともない投入駆動板１１の駆動板連結軸１３を介して投入リンク部材１４が上動される。投入リンク部材１４の上動にともない投入作動レバー２０のレバー連結軸２５を介して投入作動レバー２０が反時計回りへ回動される。投入作動レバー２０は反時計回りへの回動にともない投入ばね連結軸２６を介して投入ばね２７ａが圧縮される。
【００５３】
一方、開放ばね側は、操作ハンドル８の反時計回りへの回動にともないハンドルレバー９が反時計回りに回動されるが、ハンドルレバー９の摺動軸１０は開放駆動板１２の摺動孔１２ａ内を摺動するだけで、開放駆動板１２は回動しない。
【００５４】
この状態では、被動レバー１８の摺動軸１９は、投入作動レバー２０の摺動孔２０ａ内と開放作動レバー２１の摺動孔２１ａ内とを摺動し、被動レバー１８は回動せず、駆動レバー２２も動かないので開放ばね３０ａが圧縮保持されたままである。
【００５５】
図９及び図１０は、操作ハンドル８を反時計回りへ２０°回動から反時計回りへ３５°回動させた状態を示している。
この状態で投入ばね側は、操作ハンドル８の反時計回りへの２０°から３５°の回動にともないハンドルレバー９が反時計回りに更に回動され、上記同様に投入駆動板１１が反時計回りへ更に回動される。また、投入リンク部材１４が更に上動され、投入作動レバー２０が反時計回りへ更に回動される。そして、投入ばね２７ａが更に圧縮される。このとき、投入作動レバー２０の摺動孔２０ａの下側内壁が被動レバー１８の摺動軸１９に当接する。
【００５６】
一方、開放ばね側は、操作ハンドル８の反時計回りへの回動にともないハンドルレバー９が反時計回りに回動されるが、ハンドルレバー９の摺動軸１０は開放駆動板１２の摺動孔１２ａ内を摺動し、摺動孔１２ａの右側壁に当接する。また、開放駆動板１２の駆動板連結軸１５はデッドポイントＹよりも右側に位置し、開放ばね３０ａが圧縮保持されている。
【００５７】
この状態では、被動レバー１８の摺動軸１９は、投入作動レバー２０の摺動孔２０ａ内と開放作動レバー２１の摺動孔２１ａ内とを摺動し、被動レバー１８は回動せず、駆動レバー２２も動かない。
【００５８】
図１１及び図１２は、操作ハンドル８を反時計回りへの３５°から４０°の回動させた状態を示している。
この状態で投入ばね側は、操作ハンドル８の反時計回りへの３５°から４０°の回動にともないハンドルレバー９が反時計回りに更に回動され、上記同様に投入駆動板１１が反時計回りへ更に回動される。また、投入リンク部材１４が更に上動され、投入作動レバー２０が反時計回りへ更に回動される。そして、投入ばね２７ａが更に圧縮される。この時、投入作動レバー２０の摺動孔２０ａの下側内壁が被動レバー１８の摺動軸１９が当接したまま回動するので、万一開閉部の固定電極と可動電極との接触部が溶着していた場合に、操作ハンドル８によって強制的に離間することができる。
【００５９】
一方、開放ばね側は、操作ハンドル８の反時計回りへの回動にともないハンドルレバー９が反時計回りに回動され、開放駆動板１２の摺動孔１２ａの右側内壁に当接したハンドルレバー９の摺動軸１０により、開放駆動板１２が反時計回りへ回動される。図１２では、開放駆動板１２の反時計回りへの回動にともない開放駆動板１２の駆動板連結軸１５がデッドポイントＹ上に位置している。
【００６０】
この状態では、被動レバー１８の摺動軸１９は、投入作動レバー２０の摺動孔２０ａ内と開放作動レバー２１の摺動孔２１ａ内とを摺動し、被動レバー１８は回動せず、駆動レバー２２も動かない。
【００６１】
図１３及び図１４は、操作ハンドル８を反時計回りへの４０°の回動させた状態から開放状態にしたときを示している。
この状態で開放ばね側は、操作ハンドル８の反時計回りへの４０°の回動から開放状態への動作にともないハンドルレバー９が反時計回りに更に回動され、開放駆動板１２の駆動板連結軸１５がデッドポイントＹ上から左側へ越え、開放リンク部材１６が逆折れする。開放リンク部材１６の動作にともない、開放された開放ばね３０ａの蓄力により開放作動レバー２１が反時計回りへ勢いよく回動される。開放作動レバー２１が反時計回りへ勢いよく回動されると、開放作動レバー２１の摺動孔２１ａの下側内壁に当接した被動レバー１８の摺動軸１９により、駆動レバー２２が上動される。駆動レバー２２の上動により、連結部材２４を介して主軸２３が反時計回りへ回動され、開閉部が開放状態とされる。
【００６２】
この動作は、上述した開閉部の固定電極と可動電極との接触部が溶着していた場合には、開放時に開放ばね３０ａの蓄力が効率よく働くのでハンドル軸７を回動させる力をより有効に増大させることができる。
【００６３】
また、開放作動レバー２１の反時計回りへの回動にともない開放作動レバー２１のレバー連結軸２８を介して開放リンク部材１６が下動される。開放リンク部材１６の下動にともない開放作動レバー２１の駆動板連結軸１５を介して開放駆動板１２が反時計回りへ回動される。
【００６４】
開放駆動板１２の摺動孔１２ａの左側内壁がハンドルレバー９の摺動軸１０に当接し、ハンドルレバー９の摺動軸１０が反時計回りへ回動される。ハンドルレバー９の摺動軸１０の反時計回りへの回動にともないハンドル軸７も反時計回りへ回動し、操作ハンドル８も反時計回りへ回動される。
【００６５】
一方、投入ばね側は、開放ばね３０ａの開放された蓄力により反時計回りへ回動されたハンドルレバー９の摺動軸１０が投入駆動板１１の摺動孔１１ａに当接し、投入駆動板１１が反時計回りへ回動される。投入駆動板１１の駆動板連結軸１３はデッドポイントＸを右側から左側へ越え、投入リンク部材１４が逆折れすることで投入ばね２７ａが圧縮保持されている。
【００６６】
この開放時の投入ばね側は、開放ばね３０ａが開放され、開放作動レバー２１が時計回りへ付勢され、開放作動レバー２１がレバー回動軸１７を中心軸として反時計回りへ回動しようとしている。ところが、開放作動レバー２１の摺動孔２１ａの下側内壁が摺動軸１９に当接するとともに、前側保持板５、後側保持板６の摺動孔５ｂ、摺動孔６ｂの上側内壁に当接することによって、開放作動レバー２１のレバー回動軸１７を中心軸とする上方への回動が規制されている。これにより、駆動レバー２２の動作が規制され、固定電極及び可動電極を有する開閉部の動作が規制されている。
【００６７】
また、ハンドルレバー９の摺動軸１０は、開放駆動板１２の摺動孔１２ａの左側内壁に当接するとともに、前側保持板５、後側保持板６の摺動孔５ａ、摺動孔６ａの右側内壁に当接することによって、投入駆動板１１のハンドル軸７を中心軸とする時計回りの回動が規制されている。
【００６８】
以上で、開閉器の投入状態から開放状態への動作が完了する。
一方、開閉器の開放状態から投入状態へは、上記の説明と逆に動作する。すなわち、操作ハンドル８が時計回りへ回動されると、投入リンク部材１４の逆折れが開放され、投入ばね２７ａの蓄力が開放される。投入ばね２７ａの開放された蓄力により投入作動レバー２０がレバー回動軸１７を中心軸として時計回りへ回動し、被動レバー１８の摺動軸１９が投入作動レバー２０の摺動孔２０ａの上側内壁に当接し、駆動レバー２２が下動される。駆動レバー２２の下動にともない連結部材２４を介して主軸２３が時計回りへ回動され、開閉部が投入状態とされる。また、操作ハンドル８の時計回りへの回動にともない開放ばね３０ａが圧縮され、開放駆動板１２の駆動板連結軸１５がデッドポイントＹを左側から右側へ越え、開放リンク部材１６が逆折れすることで開放ばね３０ａが圧縮保持される。
【００６９】
さて、上記の手動開閉機構２を用いれば、投入状態から開放状態への切り替える場合には開放ばね３０ａの蓄力の開放により投入ばね２７ａを蓄力状態に保持させ、開放状態から投入状態へ切り替える場合には投入ばね２７ａの蓄力の開放により開放ばね３０ａを蓄力状態に保持させるようにした。また、投入ばね２７ａと開放ばね３０ａとを左右両側に配置し、その中央にハンドル軸７とレバー回動軸１７とを配置して機構を軸方向において厚みを抑制したので小型な手動開閉機構２とすることができ、ひいては小型な開閉器とすることができる。
【００７０】
以上、説明した実施形態によれば、以下の作用効果を奏することができる。
（１）開閉器の蓄力開閉機構は、操作ハンドル８のハンドル軸７上に相対回動可能に支持された一対の駆動板としての投入駆動板１１、開放駆動板１２と、ハンドル軸７の回動を投入駆動板１１、開放駆動板１２に伝達するためのハンドルレバー９と摺動軸１０と摺動孔１１ａ，１２ａとからなる伝達手段を備える。蓄力開閉機構は、本体ケース１内に設けた駆動軸としてのレバー回動軸１７に相対回動可能に支持されるとともに、一対の投入駆動板１１、開放駆動板１２に連結された一対の作動レバーとしての投入作動レバー２０、開放作動レバー２１と、一対の投入作動レバー２０、開放作動レバー２１のうちいずれか一方の作動レバーの投入動作及び開放動作に基づいて開閉器の開閉部を開閉駆動する駆動レバー２２とを備える。蓄力開閉機構は、投入作動レバー２０に連結され、投入時に蓄力を開放して投入作動レバー２０に投入動作をさせる投入ばね２７ａと、開放作動レバー２１に連結され、開放時に蓄力を開放して開放作動レバー２１に開放動作をさせる開放ばね３０ａとを備える。蓄力開閉機構は、一対の投入駆動板１１、開放駆動板１２と一対の投入作動レバー２０、開放作動レバー２１との間に設けられ、投入ばね２７ａ及び開放ばね３０ａのそれぞれの蓄力状態を保持する蓄力保持手段としての投入リンク部材１４、開放リンク部材１６を備える。蓄力開閉機構は、一対の投入駆動板１１、開放駆動板１２との間に設けられ、投入時には開放ばね３０ａを蓄力させ、投入作動レバー２０により投入ばね２７ａを開放させた後、同開放ばね３０ａの蓄力状態を開放作動レバー２１により保持させ、また、開放時には投入ばね２７ａを蓄力させ、開放作動レバー２１により開放ばね３０ａを開放させた後、投入ばね２７ａの蓄力状態を投入作動レバー２０により保持させるべく、一対の投入駆動板１１、開放駆動板１２に遅延回動動作を行わせるための遅延回動手段を備える。
【００７１】
このため、投入時には、まず開放作動レバー２１が回動されて開放ばね３０ａが蓄力され、投入リンク部材１４が解除されて投入ばね２７ａの蓄力が開放された後に、開放リンク部材１６によって開放ばね３０ａの蓄力状態が保持される。そして、投入ばね２７ａが開放されたことにより投入作動レバー２０が回動して駆動レバー２２を介して固定電極及び可動電極を有する開閉部に伝達されて開閉部が投入状態となる。
【００７２】
また、開放時には、まず投入作動レバー２０が回動されて投入ばね２７ａが蓄力され、開放リンク部材１６が解除されて開放ばね３０ａの蓄力が開放された後に、投入リンク部材１４によって投入ばね２７ａの蓄力状態が保持される。そして、開放ばね３０ａが開放されたことにより開放作動レバー２１が回動して駆動レバー２２を介して固定電極及び可動電極を有する開閉部に伝達されて開閉部が開放状態となる。
【００７３】
よって、投入ばね２７ａ及び開放ばね３０ａを蓄力させつつ、もう一方の投入ばね２７ａ及び開放ばね３０ａによってその蓄力を保持する保持状態にするため、切換動作を確実に行うことができる。したがって、ばねの弾性力を増加させる必要がない。
【００７４】
また、上記の切換動作を可能とする、投入リンク部材１４及び開放リンク部材１６は投入駆動板１１と投入作動レバー２０との間と開放駆動板１２と開放作動レバー２１との間に設けられ、ハンドルレバー９は投入駆動板１１と開放駆動板１２との間に設けられるため、小型な開閉蓄力機構とすることができ、ひいては小型な開閉器とすることができる。
【００７５】
（２）投入ばね２７ａと開放ばね３０ａとを左右に配置し、投入ばね２７ａ、開放ばね３０ａの中央にハンドル軸７と、投入作動レバー２０、開放作動レバー２１の駆動軸としてのレバー回動軸１７とを並べて配置した。このため、投入ばね２７ａと開放ばね３０ａとにハンドル軸７とレバー回動軸１７とが挟まれるように並べて配置されるため、軸方向において厚みを抑制することができる。よって、開閉蓄力機構を小型化でき、ひいては開閉器を小型化することができる。
【００７６】
（３）駆動レバー２２を投入ばね２７ａよりも開放ばね３０ａの近傍に配置した。このため、開放時に開放ばね３０ａの蓄力を効率よく働かせることができる。特に開閉部の固定電極と可動電極との接触部が溶着していたりしてハンドル軸７を回動させる力がより必要となる開放時に有効である。
【００７７】
（４）遅延回動手段は、レバー回動軸１７に固定した被動レバー１８と、被動レバー１８に設けた摺動軸１９と、摺動軸１９が摺動可能に係合するように一対の投入駆動板１１、開放駆動板１２に設けた摺動孔１１ａ，１２ａとから構成した。このため、投入時には、ハンドル軸７が回動することにより、その回動がハンドルレバー９を介して摺動軸１０に伝達され、これが摺動孔１１ａ，１２ａ内を移動する。そして、この摺動軸１０が投入駆動板１１の摺動孔１１ａの右側内壁に当接して投入駆動板１１を回動させる。このとき、摺動軸１０は開放駆動板１２の摺動孔１２ａ内を移動するだけなので、この開放駆動板１２は回動しない。投入駆動板１１が所定角度回動すると、摺動軸１０は開放駆動板１２の摺動孔１２ａの右側内壁に当接し、この開放駆動板１２が回動される。
【００７８】
また、開放時には、ハンドル軸７が回動することにより、その回動がハンドルレバー９を介して摺動軸１０に伝達され、これが摺動孔１１ａ，１２ａ内を移動する。そして、この摺動軸１０が開放駆動板１２の摺動孔１２ａの左側内壁に当接して開放駆動板１２を回動させる。このとき、摺動軸１０は投入駆動板１１の摺動孔１１ａ内を移動するだけなので、この投入駆動板１１は回動しない。開放駆動板１２が所定角度回動すると、摺動軸１０は投入駆動板１１の摺動孔１１ａの左側内壁に当接し、この投入駆動板１１が回動される。
【００７９】
（５）投入作動レバー２０と開放作動レバー２１との間に設けられ、投入時には投入ばね２７ａの蓄力が開放された際に駆動レバー２２を閉駆動させ、また、開放時には開放ばね３０ａの蓄力が開放された際に駆動レバー２２を開駆動させる第２伝達手段を備えた。このため、投入時には、投入ばね２７ａの開放により回動された投入作動レバー２０によって駆動レバー２２が閉駆動され、開閉部が投入状態となる。また、開放時には、開放ばね３０ａの開放により回動された開放作動レバー２１によって駆動レバー２２が開駆動され、開閉部が開放状態となる。よって、投入ばね２７ａ、開放ばね３０ａが圧縮されてから蓄力を開放することができる。
【００８０】
（６）第２伝達手段は、投入作動レバー２０と開放作動レバー２１のレバー回動軸１７回動可能に設けた被動レバー１８と、被動レバー１８設けた摺動軸１９と、摺動軸１９が摺動可能に係合するように投入作動レバー２０と開放作動レバー２１に設けた摺動孔２０ａと摺動孔２1ａとから構成した。
【００８１】
このため、投入時には、投入作動レバー２０が回動することにより、投入作動レバー２０の摺動孔２０ａ内を被動レバー１８の摺動軸１９が移動する。そして、投入作動レバー２０の摺動孔２０ａの上側内壁がこの被動レバー１８の摺動軸１９に当接して被動レバー１８を回動させる。このとき、被動レバー１８の摺動軸１９は開放作動レバー２１の摺動孔２１ａ内を移動するだけなので、この開放作動レバー２１は回動されない。
【００８２】
また、開放時には、開放作動レバー２１が回動することにより、開放作動レバー２１の摺動孔２１ａ内を被動レバー１８の摺動軸１９が移動する。そして、投入作動レバー２０の摺動孔２０ａの下側内壁がこの被動レバー１８の摺動軸１９に当接して被動レバー１８を回動させる。このとき、被動レバー１８の摺動軸１９は投入作動レバー２０の摺動孔２０ａ内を移動するだけなので、この投入作動レバー２０は回動されない。よって、投入ばね２７ａ及び開放ばね３０ａの蓄力動作と、駆動レバー２２を介して固定電極及び可動電極を有する開閉部の投入、開放動作とを確実に行うことができる。
【００８３】
なお、上記実施形態は、これを適宜変更した以下の形態にて実施することができる。
・上記構成において、投入禁止機構を設けてもよい。すなわち、後側保持板６に当接手段としてソレノイドを設け、ソレノイドのプランジャをハンドルレバー９の突部９aに当接させる。突部９ａが規制部として機能する。よって、ハンドルレバー９の移動が規制されるので、投入動作は禁止される。
【００８４】
・上記構成において、第２伝達手段を省略した構成を採用してもよい。
【符号の説明】
【００８５】
２…手動開閉機構、７…回動軸としてのハンドル軸、８…操作ハンドル、９…伝達手段及び遅延回動手段を構成するハンドルレバー、１０…伝達手段及び遅延回動手段を構成する摺動軸、１１…投入駆動板、１２…開放駆動板、１１ａ，１２ａ…伝達手段及び遅延回動手段を構成する摺動孔、１３…駆動板連結軸、１４…蓄力保持手段としての投入リンク部材、１５…駆動板連結軸、１６…蓄力保持手段としての開放リンク部材、１７…駆動軸としてのレバー回動軸、１８…第２伝達手段を構成する被動レバー、１９…第２伝達手段を構成する摺動軸、２０…投入作動レバー、２１…開放作動レバー、２０ａ，２１ａ…第２伝達手段を構成する摺動孔、２２…駆動レバー、２３…主軸、２４…連結部材、２５…レバー連結軸、２６…投入ばね連結軸、２７ａ…投入ばね、２８…レバー連結軸、２９…開放ばね連結軸、３０ａ…開放ばね、Ｘ，Ｙ…デッドポイント。
【図１】
2011014381.tif 000003
【図２】
2011014381.tif 000004
【図３】
2011014381.tif 000005
【図４】
2011014381.tif 000006
【図５】
2011014381.tif 000007
【図６】
2011014381.tif 000008
【図７】
2011014381.tif 000009
【図８】
2011014381.tif 000010
【図９】
2011014381.tif 000011
【図１０】
2011014381.tif 000012
【図１１】
2011014381.tif 000013
【図１２】
2011014381.tif 000014
【図１３】
2011014381.tif 000015
【図１４】
2011014381.tif 000016